(57)【要約】【課題】一般の家電製品などの梱包用の梱包箱において、被梱包物の梱包時の側面胴膨れを抑え、また包装状態での落下による被梱包物の露出を防止することを可能にした、優れた梱包箱を提供することを目的とする。【解決手段】底面１２から起立した状態で囲繞する両側面１３，１４、正面１１および背面１５と、背面１５から延設し、開口する上部を開閉自在に閉鎖する天面１６とを備えた梱包箱１であって、少なくとも、側面１３，１４と背面１５との間に、この側面１３，１４と背面１５との胴膨れを防止する胴膨れ防止手段２１〜２４を備えた。【選択図】  図１
2004196401.tif 000002
【特許請求の範囲】
【請求項１】
底面から起立した状態で囲繞する両側面、正面および背面と、前記背面から延設し、開口する上部を開閉自在に閉鎖する天面とを備えた梱包箱であって、
少なくとも、前記両側面と前記背面又は前記両側面と前記正面との間に、前記両側面、前記背面又は前記正面の胴膨れを防止する胴膨れ防止手段を備えたことを特徴とする梱包箱。
【請求項２】
前記胴膨れ防止手段は、
前記背面又は前記正面の両側に設けた突起片と、
前記各側面から突設する閉止片と前記各側面との境界部分に穿設し、前記突起片を差込んで係止させる係止孔と
を備えたことを特徴とする請求項１に記載の梱包箱。
【請求項３】
前記突起片が係止する係止孔には、略楔型の開口領域を有することを特徴とする請求項２に記載の梱包箱。
【請求項４】
前記突起片が係止する係止孔には、前記略楔型の開口領域の他に、前記略楔型の開口領域に隣接し前記突起片の厚さと略同程度の開口幅を有する略方形状の開口領域を有することを特徴とする請求項３に記載の梱包箱。
【発明の詳細な説明】
【０００１】
【発明の属する技術分野】
本発明は、各種の製品、例えば一般の家電製品などの梱包用の梱包箱に関するものである。
【０００２】
【従来の技術】
電気製品、例えば一般の家電製品など（以下、被梱包物とよぶ）の梱包用の梱包箱として、各種のものが開発され使用されている。
例えば、図５は従来の梱包箱を示すものであり、この梱包箱は、図６に示す展開図において、互いに隣合う２面１０１，１０２を、境界線Ｌ２を中心に折り返して２重に重ね合わせて正面部分（つまり、この正面部分は、内面（Ａ面）１０１および外面（Ｂ面）１０２からなる）を形成するとともに、係合片１０３、１０４のスリット１０３Ａ、１０４Ａ部分で互いに係合・係止させるようにして箱状に組立てて形成している。
【０００３】
このようにして、図５のように形成した梱包箱において、被梱包物を収容させた後、蓋を構成する天面１０５（Ｅ面）から突出する挿入片１０５Ａを、正面１０１、１０２に形成されたポケット状の差込孔１０２Ａに差し込んで、止め付けるようになっている。
【０００４】
しかしながら、上記したような従来の梱包箱にあっては、側面１０６，１０７と正面１０１，１０２、側面１０６，１０７と背面１０８との間の閉じ合わせ部分に何らの手段も講じていないので、図７に示すように、被梱包物を梱包した際に側面１０６，１０７部分が外方へ膨らんでしまう、胴膨れ現象を抑えることが困難であった。また、包装状態での落下の際には側面の開放を抑える構造がないことより被梱包物を露出させてしまう虞があった。
【０００５】
そこで、このような側面の胴膨れを防止する手段として、例えば特許文献１に記載のようなものが提案されている。
即ち、これは、胴部を構成する４側面のうち、少なくとも１側面に座屈しやすいライン（例えば、ミシン目状にカットしたカットラインや、押圧による圧潰ライン）を形成し、荷重が直接内部に収容する被梱包物に作用するようにして、側面の胴膨れを防止するようになっている。
【０００６】
【特許文献１】
特開２００１−７２０４４号公報（第２頁、図３）
【０００７】
【発明が解決しようとする課題】
しかしながら、通常、このような構成の梱包箱にあっては、前述したように、上側にある梱包箱に収納する被梱包物の荷重を利用して下側にある梱包箱を座屈させる構成であるので、被梱包物を梱包した梱包箱を積み重ねた場合に初めてその胴膨れ防止効果が発揮できるものである。従って、胴膨れを発生しようとする場合に、梱包箱の上部になにも積層させてなければ、従来のものと同様に、胴膨れ現象を防止することができない。
【０００８】
しかも、このような梱包箱は、通常、例えば段ボールなどで形成してあるのでその材質上強度的にはそれほど強くない。このため、胴膨れ現象を防止しようとしてその上に梱包箱を積層すると、大きな荷重が下側の梱包箱内の被梱包物に直接作用して、座屈動作だけでは耐えきれずに、梱包箱が大きく折れ曲がって破損する虞もある。また、かりに、このようなトラブルを発生しないとしても、積層されている梱包箱のうち最上部のものについては、その上から胴膨れ防止のために必要な荷重が全く作用していないので、最上部の梱包箱での胴膨れ現象は防止できない。
【０００９】
しかも、このような構成の梱包箱にあっては、通常、梱包箱を閉じるため、例えば図５に示すように、挿入片１０５Ａを天面（蓋面）１０５の部分のみに設けてあり、この天面１０５側による止め付けが殆どであるので外れやすく、例えば包装状態での落下により梱包箱内部から被梱包物が外部に露出する、といったトラブルも防止することが難しい。
【００１０】
本発明は、上記従来の問題を解決するもので、例えば、一般の家電製品のような各種の被梱包物を梱包する梱包箱において、製品梱包時の側面胴膨れ現象の発生を抑え、また包装状態での落下による被梱包物の露出を防止することを可能にした、優れた梱包箱を提供するものである。
【００１１】
【課題を解決するための手段】
この発明の梱包箱は、底面から起立した状態で囲繞する両側面、正面および背面と、前記背面から延設し、開口する上部を開閉自在に閉鎖する天面とを備えた梱包箱であって、少なくとも、前記両側面と前記背面又は前記両側面と前記正面との間に、前記両側面、前記背面又は前記正面の胴膨れを防止する胴膨れ防止手段を備えたことを特徴としている。
【００１２】
これにより、製品梱包時の側面胴膨れを抑え、また包装状態での落下による梱包製品の露出を防止することができる。
【００１３】
また、この発明の梱包箱は、前記胴膨れ防止手段が、前記背面又は前記正面の両側に設けた突起片と、前記各側面から突設する閉止片と前記各側面との境界部分に穿設し、前記突起片を差込んで係止させる係止孔とを備えたことを特徴としている。
【００１４】
これにより、簡単な構成で胴膨れ防止手段を形成することができる。
【００１５】
また、この発明の梱包箱は、前記突起片が係止する係止孔に、略楔型の開口領域を有することを特徴としている。
【００１６】
これにより、突起片を孔に係合する際の位置合わせに余裕を持たせることができるので、係合作業を容易に行うこともできる。
【００１７】
また、この発明の梱包箱は、前記突起片が係止する係止孔に、前記略楔型の開口領域の他に、前記略楔型の開口領域に隣接し前記突起片の厚さと略同程度の開口幅を有する略方形状の開口領域を有することを特徴としている。
【００１８】
これにより、製品梱包時の側面胴膨れを確実に抑え、かつ、包装状態での落下による梱包製品の露出を確実に防止することができるのと同時に、突起片を係止孔に係止する際に、突起片の挿入・係止作業を容易に行うこともできる。
【００１９】
【発明の実施の形態】
以下、この発明に係る実施の形態について、添付図面を参照しながら詳細に説明する。
図１は、この発明の実施形態に係る梱包箱を示すものであり、この梱包箱１は、段ボール材１０（図２参照）で形成されており、正面（外面）１１と、底面１２と、右側面１３と、左側面１４と、背面１５と、天面（蓋面）１６との６面を備えているとともに、梱包箱の両側面１３，１４、背面１５の胴膨れを防止する胴膨れ防止手段２（図２参照）を備えている。
【００２０】
正面(外面)１１は、図２に示す展開図において、これと重合する正面内側部分（以下、内面とよぶ）１７との境界線Ｌ１を中心にして谷折り（同図において、手前方向に折り曲げる）して内面１７とにより２枚で重合させており、これら正面１１及び内面１７とにより形成したポケット状の差込孔１１Ａに、図３に示すように、後述する天面１６側の挿入片１６Ａが差し込まれるように構成している。なお、この展開図において、破線で示す部分は、全て前述した谷折り状態に折り曲げて、６面体の箱を形成している。
一方、内面１７には、前縁部分１７Ａを設けており、この内面１７を正面１１と重合させた後に、前縁部分１７Ａを後述する底面１２の係止孔１２Ａに差し込んで係止させ、止め付けるようになっている。
【００２１】
底面１２には、図２に示す展開図において、前述したように、内面１７の前縁部分１７Ａを差し込んで係止させ、止め付けるための係止孔１２Ａを正面１１との境界部分に穿設している。
【００２２】
右側面１３には、図２に示す展開図において、上部に、スリット１３１Ａを設けた閉止片１３１を設けているとともに、下部に、後述する係止孔２３を穿設した閉止片１３２を設けている。
同様に、左側面１４にも、図２に示す展開図において、上部に、スリット１４１Ａを設けた閉止片１４１を設けているとともに、下部に、後述する係止孔２４を穿設した閉止片１４２を設けている。
【００２３】
背面１５には、胴膨れ防止手段２の一部を構成する突起片２１が右辺縁部から突設しており、この突起片２１を閉止片１３２に形成した係止孔２３に差し込むように構成している。
また、この背面１５には、同様に、胴膨れ防止手段２の一部を構成する突起片２２を左辺縁部に突設しており、この突起片２２を閉止片１４２に形成した係止孔２４に差し込むように構成している。
【００２４】
天面１６には、正面１１及び内面１７とにより形成した前述のポケット状の差込孔１１Ａに差し込む挿入片１６Ａを突設している。
【００２５】
胴膨れ防止手段２は、梱包箱の側面１３，１４の胴膨れを防止するためのものであり、本実施の形態では、梱包箱の背面１５の左右両側に設けた突起片２１，２２と、この突起片２１，２２を挿入して係止させる係止孔２３，２４とを備えている。
【００２６】
本実施の形態の突起片２１及び２２は、略方形状を呈しており、それぞれ係止孔２３，２４に挿入して係止させることにより、背面１５の左右両側部分が右側面１３及び左側面１４との間に隙間を形成することなく閉合するようになっている。
【００２７】
係止孔２３は、図４に示すように、斜辺２３Ａと、ストレート辺２３Ｂとを有しており、このうち、斜辺２３Ａに臨む略楔型の開口領域は、突起片２１(図２参照)を差し込み易くするために、開口幅ｄ１が、突起片２１の厚さ、つまりこの梱包箱１を形成する段ボールの厚さｄよりも大きく（ｄ１＞ｄ）開口されている。
一方、ストレート辺２３Ｂに臨む略方形状の開口領域は、差し込んだ後の突起片２１が抜け難くするために、開口幅ｄ２が、突起片２１の厚さｄ（ｄ２≒ｄ）と略同等の大きさに開口されている。
なお、図示しないが、閉止片１４２に穿設した係止孔２４(図１参照)も、前述の閉止片１３２に穿設した係止孔２３と同様の構成となっている。
【００２８】
次に、以上のように構成された本実施の形態に係る梱包箱について、図２のような展開図の段ボール１０を用いて、図１に示す梱包箱１を組み立てた後の天面１６を閉じる前の状態、および図３に示す梱包箱１を組み立てた後の天面１６を閉じた後の状態について説明する。
図２において、背面１５に突設された突起片２１および突起片２２は、図１及び図３に示すように、それぞれ、側面１３と閉止片１３２との境界部分に突設された係止孔２３、および側面１４と閉止片１４２との境界部分に突設された係止孔２４とに挿入されて、それぞれ係合・係止しており、これにより側面１３，１４が外方へ湾曲する胴膨れ現象を防止するようになっている。
【００２９】
また図３に示すように、突起片２１（図１参照）と係止孔２３（図１参照）、および突起片２２と係止孔２４（図１参照）が係合していることにより、側面１３および側面１４において、梱包を行った際に生じる梱包箱１内側から作用する開こうとする力、つまり開放力（又は、展開力）に対して、梱包箱１の開放を防ぐ反力を発生させることができる。
【００３０】
以上のように本発明に係る実施の形態によれば、梱包箱１内側から作用する開放力（又は、展開力）に対し、胴膨れ防止手段である、突起片２１，２２とこれが挿入・係止する係止孔２３，２４とを左右両側の側面１３，１４と背面１５との間に設けており、これにより背面１５が側面１３，１４から離間して開放しようとするのを防ぐ反力を有することができるので、製品梱包時の側面胴膨れを抑え、また包装状態での落下による梱包製品の露出を防止することができる。
【００３１】
また、本実施の形態のように、図１及び図２に示すように、胴膨れ防止手段２の突起片２１，２２が挿入して係合する係止孔２３，２４の開口形状を楔型にすることにより、前述の効果を有しつつ、かつ、突起片２１，２２の厚さよりも幅広で楔型であることから、突起片２１，２２を係止孔２３，２４に挿入して係合する際の位置合わせに余裕を持たせることができるので、係合作業を容易に行うこともできる。
【００３２】
なお、本実施形態では、胴膨れ防止手段２を、左右の側面１３、１４と背面１５との間にのみ設けたが、左右の側面１３、１４と正面１７との間にも設けてもよい。
【００３３】
【発明の効果】
以上説明してきたように、本発明では、底面から起立した状態で囲繞する両側面、正面および背面と、背面から延設し、開口する上部を開閉自在に閉鎖する天面とを備えた梱包箱であって、少なくとも、両側面と背面又は両側面と正面との間に、両側面、背面又は正面の胴膨れを防止する胴膨れ防止手段を備えており、例えば、一般の家電製品のような各種の被梱包物を梱包する梱包箱において、被梱包物の梱包時の側面胴膨れを抑え、また包装状態での落下による被梱包物の露出を防止することを可能にした、優れた梱包箱を提供することができる。
【図面の簡単な説明】
【図１】本発明の梱包箱を組み立てた後の天面を閉める前の状態を示す斜視図である。
【図２】本発明の梱包箱の展開図である。
【図３】本発明の梱包箱を組み立てた後の天面を閉めた後の状態を示す斜視図である。
【図４】本発明の梱包箱の胴膨れ防止手段を示す要部拡大断面図である。
【図５】従来品の梱包箱を組み立てた後の天面を閉める前の状態を示す斜視図である。
【図６】従来品の梱包箱の展開図である。
【図７】従来品の梱包箱を組み立てた後の天面を閉めた後の状態を示す斜視図である。
【符号の説明】
１          梱包箱
１０        段ボール材
１１        正面（外面）
１１Ａ      差込孔
１２        底面
１２Ａ      係止孔
１３        右側面
１３１      閉止片
１３１Ａ    スリット
１３２      閉止片
１４        左側面
１４１      閉止片
１４１Ａ    スリット
１４２      閉止片
１５        背面
１６        天面
１６Ａ      挿入片
１７        正面（内面）
１７Ａ      前縁部分
２          胴膨れ防止手段
２１        突起片（胴膨れ防止手段）
２２        突起片（胴膨れ防止手段）
２３        係止孔（胴膨れ防止手段）
２３Ａ      斜辺
２３Ｂ      ストレート辺
２４        係止孔（胴膨れ防止手段）
Ｌ１        境界線
【図１】
2004196401.tif 000003
【図２】
2004196401.tif 000004
【図３】
2004196401.tif 000005
【図４】
2004196401.tif 000006
【図５】
2004196401.tif 000007
【図６】
2004196401.tif 000008
【図７】
2004196401.tif 000009